(57)【要約】【課題】広範囲の周波数帯域で優れた吸音性能を発揮することができ、また吸音材のリサイクルが容易な防音パネルを提供する。【解決手段】矩形状の枠部を備え、この枠部の一側に背面板２ｃを備えると共に、他側の開口側が、音波が通過し得る複数の音波通過路を備えた着脱自在な正面板２ｄにより覆われるケース２ａ内に吸音材が収納されてなる防音パネル２において、前記防音材を、前記ケース２ａの一方向を向く複数の波形加工が施され、かつ多数の微細な貫通孔が設けられた縦波形付アルミニウム薄板２ｅと、この縦波形付アルミニウム薄板２ｅの波形加工方向と直交する他方向向きの複数の波形加工が施され、かつ多数の微細な貫通孔が設けられた横波形付アルミニウム薄板２ｆを交互に積層して構成する。【選択図】図４
2007101959.tif 000002
【特許請求の範囲】
【請求項１】
矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、前記ケースの一方向を向く複数の波形加工が施され、かつ多数の微細な貫通孔が設けられた縦波形付金属部材と、この縦波形付金属部材の波形加工方向と直交する他方向向きの複数の波形加工が施され、かつ多数の微細な貫通孔が設けられた横波形付金属部材が交互に積層されてなることを特徴とする防音パネル。
【請求項２】
矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、斜め方向を向く複数の傾斜波形加工が施され、かつ多数の微細な貫通孔が設けられた傾斜波形付金属部材が、隣り合う傾斜波形付金属部材の傾斜波形が交差するように交互に積層されてなることを特徴とする防音パネル。
【請求項３】
矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、前記ケースの一方向を向く複数の波形加工が施され、かつ多数の微細な貫通孔が設けられた縦波形付金属部材が、波形の頂部を接触させた状態で積層されてなることを特徴とする防音パネル。
【請求項４】
矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、複数の波形加工が施され、かつ多数の微細な貫通孔が設けられた波形付金属部材と、多数の微細な貫通孔が設けられた平面金属部材が交互に積層されてなることを特徴とする防音パネル。
【請求項５】
矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、一部分に複数の波形加工が施され、かつ多数の微細な貫通孔が設けられた第１波形付金属部材と、この第１波形付金属部材の波形加工が施されていない平面部に先端部が接触する複数の波形加工が施され、かつ多数の微細な貫通孔が設けられた第２波形付金属部材が交互に積層されてなるとを特徴とする防音パネル。
【請求項６】
前記吸音部材を構成する波形付金属部材の波形は、円弧波状であることを特徴とする請求項１乃至５のうちの何れか一つの項に記載の防音パネル。
【請求項７】
前記吸音部材を構成する波形付金属部材の波形は、四角波状であることを特徴とする請求項１乃至５のうちの何れか一つの項に記載の防音パネル。
【請求項８】
前記吸音部材を構成する波形付金属部材の波形は、台形波状であることを特徴とする請求項１乃至５のうちの何れか一つの項に記載の防音パネル。
【請求項９】
前記吸音部材を構成する波形付金属部材の波形は、三角波状であることを特徴とする請求項１乃至５のうちの何れか一つの項に記載の防音パネル。
【請求項１０】
前記吸音部材を構成する波形付金属部材は、板であることを特徴とする請求項６乃至９のうちの何れか一つの項に記載の防音パネル。
【請求項１１】
前記吸音部材を構成する波形付金属部材は、箔であることを特徴とする請求項６乃至９のうちの何れか一つの項に記載の防音パネル。
【請求項１２】
前記吸音部材を構成する波形付金属部材は、表面に繊維が貼着されてなる板であることを特徴とする請求項６乃至９のうちの何れか一つの項に記載の防音パネル。
【請求項１３】
前記吸音部材を構成する波形付金属部材は、表面に繊維が貼着されてなる箔であることを特徴とする請求項６乃至９のうちの何れか一つの項に記載の防音パネル。
【請求項１４】
前記吸音部材を構成する波形付金属部材の端縁は、シール機能を有する接着材でケースの内壁に接合されてなることを特徴とする請求項１０乃至１３のうちの何れか一つの項に記載の防音パネル。
【請求項１５】
前記吸音部材を構成する波形付金属部材の端縁は、発泡剤でケースの内壁に接合されてなることを特徴とする請求項１０乃至１３のうちの何れか一つの項に記載の防音パネル。
【請求項１６】
前記吸音部材を構成する波形付金属部材の端縁同士は、折り曲げ加工により結合されてなることを特徴とする請求項１０乃至１３のうちの何れか一つの項に記載の防音パネル。
【請求項１７】
前記吸音部材を構成する波形付金属部材の端縁は、端縁を挟んで係止する係止部材を介してケースの内壁に固定されてなることを特徴とする請求項１６に記載の防音パネル。
【請求項１８】
前記吸音部材を構成する波形付金属部材の端縁は、ケースの内壁に突設された貼着部材に貼着されてなることを特徴とする請求項１６に記載の防音パネル。
【請求項１９】
前記吸音部材を構成する波形付金属部材の端縁は、嵌合式のケースの嵌合部の相対する面の間に挟着されてなることを特徴とする請求項１６に記載の防音パネル。
【請求項２０】
前記吸音部材を構成する波形付金属部材の端縁にネジ穴を有する端縁取付け部材が設けられ、この端縁取付け部材がケースに設けられた穴に嵌入されたネジにより固定されてなることを特徴とする請求項１６に記載の防音パネル。
【請求項２１】
前記吸音部材を構成する波形付金属部材の端縁は、ケースの内壁に突設された端縁受け部材と、ケースに設けられた穴に嵌入されたネジによりケースの内壁側に移動して前記端縁受け部材に受けられた波形付金属部材の端縁を押圧する端縁押圧部材により固定されてなることを特徴とする請求項１６に記載の防音パネル。
【請求項２２】
前記吸音部材を構成する波形付金属部材の端縁は、ケースの内壁に形成された横Ｍ型の挟圧形成部により挟圧されてなることを特徴とする請求項１６に記載の防音パネル。
【請求項２３】
矩形状の枠部を備え、この枠部の一側に背面板を備えると共に、他側の開口側が、音波が通過し得る複数の音波通過通路を備えた着脱自在な正面板により覆われるケース内に吸音材が収納されてなる防音パネルにおいて、前記吸音部材は、前記背面板との間、前記正面板との間に空気層を隔てて前記ケース内に設けられ、多数の微細な貫通孔が設けられた平面金属部材であることを特徴とする防音パネル。
【請求項２４】
前記吸音部材を構成する平面金属部材は、板であることを特徴とする請求項２３に記載の防音パネル。
【請求項２５】
前記吸音部材を構成する平面金属部材は、箔であることを特徴とする請求項２３に記載の防音パネル。
【請求項２６】
前記吸音部材を構成する平面金属部材は、箔または多孔を備えた箔を複数重ねた多重箔であることを特徴とする請求項２３に記載の防音パネル。
【請求項２７】
前記吸音部材を構成する平面金属部材は、表面に繊維が貼着されてなる板であることを特徴とする請求項２３に記載の防音パネル。
【請求項２８】
前記吸音部材を構成する平面金属部材は、表面に繊維が貼着されてなる箔であることを特徴とする請求項２３に記載の防音パネル。
【請求項２９】
前記吸音部材を構成する平面金属部材の端縁は、端縁を挟んで係止する係止部材を介してケースの内壁に固定されてなることを特徴とする請求項２４乃至２８のうちの何れか一つの項に記載の防音パネル。
【請求項３０】
前記吸音部材を構成する平面金属部材の端縁は、ケースの内壁に突設された貼着部材に貼着されてなることを特徴とする請求項２４乃至２８のうちの何れか一つの項に記載の防音パネル。
【請求項３１】
前記吸音部材を構成する平面金属部材の端縁は、嵌合式のケースの嵌合部の相対する面の間に挟着されてなることを特徴とする請求項２４乃至２８のうちの何れか一つの項に記載の防音パネル。
【請求項３２】
前記吸音部材を構成する平面金属部材の端縁にネジ穴を有する端縁取付け部材が設けられ、この端縁取付け部材がケースに設けられた穴に嵌入されたネジにより固定されてなることを特徴とする請求項２４乃至２８のうちの何れか一つの項に記載の防音パネル。
【請求項３３】
前記吸音部材を構成する平面金属部材の端縁は、ケースの内壁に突設された端縁受け部材と、ケースに設けられた穴に嵌入されたネジによりケースの内壁側に移動して前記端縁受け部材に受けられた波形付金属部材の端縁を押圧する端縁押圧部材により固定されてなることを特徴とする請求項２４乃至２８のうちの何れか一つの項に記載の防音パネル。
【請求項３４】
前記吸音部材を構成する平面金属部材の端縁は、ケースの内壁に形成された横Ｍ型の挟圧形成部により挟圧されてなることを特徴とする請求項２４乃至２８のうちの何れか一つの項に記載の防音パネル。
【請求項３５】
前記吸音部材を構成する平面金属部材の端縁は、ケースの相対する内壁側のそれぞれに設けられた平行な掛回し部材に掛回されてなることを特徴とする請求項２４乃至２８のうちの何れか一つの項に記載の防音パネル。
【請求項３６】
防音壁フレームの複数のパネル取付け枠のそれぞれに、前記請求項１４または１５および請求項１７乃至２２のうちの何れか一つの項に記載の防音パネルを嵌込んで固定したことを特徴とする防音壁。
【請求項３７】
防音壁フレームの複数のパネル取付け枠のそれぞれに、請求項２９乃至３５のうちの何れか一つの項に記載の防音パネルを嵌込んで固定したことを特徴とする防音壁。
【請求項３８】
前記ケースの内部の長手方向に直交する向きに、防音対象となる音の波長の１／２より小さな間隔で仕切り板が設けられてなることを特徴とする請求項１乃至３５のうちの何れか一つの項に記載の防音パネル。
【請求項３９】
前記ケースの内部の長手方向に直交する向きに、防音対象となる音の波長の１／２の倍数以外の間隔で仕切り板が設けられてなることを特徴とする請求項１乃至３５のうちの何れか一つの項に記載の防音パネル。
【請求項４０】
前記ケースの内部の長手方向に直交する向きに、防音対象となる複数の周波数の音に対してランダムな間隔で仕切り板が設けられてなることを特徴とする請求項１乃至３５のうちの何れか一つの項に記載の防音パネル。
【請求項４１】
防音壁フレームの複数のパネル取付け枠のそれぞれに、前記請求項３８乃至４０のうちの何れか一つの項に記載の防音パネルを嵌込んで固定したことを特徴とする防音壁。
【発明の詳細な説明】
【技術分野】
【０００１】
本発明は、防音パネルおよび防音壁の改善に係り、より詳しくは、リサイクル性が高く、かつ軽量で、さらに低い周波数帯域から高い周波数帯域に亘って広範囲の周波数帯域の騒音を吸音することができる防音パネルおよび防音壁に関するものである。
【背景技術】
【０００２】
吸音構造体としては、従来からグラスウール等の多孔質吸音材と耐候性、耐水性、耐熱性に優れた材料を組み合わせた構造のものが用いられていた。ところが、このような吸音構造体では、グラスウールの耐候性、耐水性、耐熱性を補うことができたが十分ではなく、さらにリサイクル性の問題を解決するに至っていなかった。また、グラスウールに代表される多孔質吸音材を用いた場合以外の吸音構造である共鳴器型吸音構造や板振動型吸音構造等を利用した場合には、吸音のメカニズムの関係上、下記のような不具合があった。
即ち、吸音のメカニズムが共振現象によるエネルギー消散であるため、吸音周波数帯域が狭く、吸音性能がグラスウール等の多孔質吸音材等の多孔質吸音材に比べて劣るという不具合があった。
【０００３】
上記のような問題を解決し得るようにした吸音構造体としては、例えばアルミニウム箔や、アルミニウム薄板を用いた後述するような構成になるものが公知である。これら従来例１、２に係る吸音構造を、添付図面を参照しながら説明する。
【０００４】
従来例１に係る防音構造を、その斜視図の図１４と、その断面図の図１５を参照しながら説明する。即ち、この吸音構造は、例えばアルミニウム箔等の金属製の薄膜からなる第一の薄膜４１と、第二の薄膜４２とが互いに隣接するように積層されている。これら第一の薄膜４１と第二の薄膜４２には、図１５に示すように、これら第一の薄膜４１と第二の薄膜４２の積層方向の一側に向いた多数の突部ａが形成されている。そのため、この従来例１に係る防音構造によれば、音波が入射すると、第一、二の薄膜４１、４２が振動して、重なりあった部分が接触して擦れ合いを起こし、その結果、音波のエネルギー消散が生じて吸音される。
【０００５】
上記構成になる吸音構造では、上記のとおり、第一、二の薄膜４１、４２が接触して擦れ合うというメカニズムによって音波エネルギーを消散させるため、共振現象を利用して音波エネルギーを消散させる吸音構造に比較して、より広範囲の周波数帯域で優れた吸音性能を発揮することができる。また、第一、二の薄膜４１、４２の材料としてアルミニウム等の金属製箔を採用することにより、シュレッダーダスト等として処分せざるを得なかった従来に係る吸音構造のグラスウール等の難リサイクル材に比較して吸音構造のリサイクルが容易である。なお、第一、二の薄膜４１、４２には、多数の微細な貫通孔が設けられている（例えば、特許文献１参照。）。
【０００６】
次に、従来例２に係る防音構造を、その断面図の図１６を参照しながら同公報に用いられている同一の名称を以て説明する。即ち、この従来例２に係る防音構造は、外装板５１と多数の貫通穴５２ａを有する内装板５２とが対向配置されて構成されている。前記内装板５２は、板厚、穴径および開口率が貫通穴５２ａを流通する空気に粘性作用を発生させる、後述する設計条件を満足するように設定されている。この設定条件は、０．３以上の吸音率となる周波数帯域幅が共鳴周波数に対して１０％以上に設定されている。なお、符号５３は空気層である。
【０００７】
このような従来例２に係る防音構造によれば、空気に粘性作用を発生させることによって、粘性作用による空気振動の熱エネルギーへの変換が促進される結果、広い周波数帯域幅で十分な吸音性能が確実に発揮される。これにより、共鳴周波数の騒音の他、この周波数以外の騒音に対しても優れた吸音性能が発揮されることとなる。なお、この従来例２に係る防音構造の外装板５１および内装板５２は、鉄やアルミニウム等の金属や合成樹脂により形成されている（例えば、特許文献２参照。）。
【特許文献１】特開２００４−２６４３７４号公報
【特許文献２】特開２００３−５０５８６号公報
【発明の開示】
【発明が解決しようとする課題】
【０００８】
上記特開２００４−２６４３７４号公報、および特開２００３−５０５８６号公報に開示されてなる従来例１，２に係る吸音構造によれば、上記のとおり、共振現象のみを利用して音波エネルギーを消散させる吸音構造に比較して、広範囲の周波数帯域で優れた吸音性能を発揮することができる。また、これら従来例１，２に係る吸音構造を構成する吸音材のリサイクルが容易であるから、極めて優れている。従って、これら従来例１，２に係る吸音構造を、例えば、高速道路用の防音壁として用いることが可能になれば、騒音公害の解消に多いに寄与することが可能になると考えられる。
【０００９】
しかしながら、上記従来例１，２の何れに係る公報あっても、基本構想が開示されているだけで、具体的な構造が開示されていない。
【００１０】
従って、本発明の目的は、広範囲の周波数帯域で優れた吸音性能を発揮することができ、また吸音材のリサイクルが容易な防音パネルおよび防音壁を提供することである。
【課題を解決するための手段】
【００１１】
本発明は、上記実情に鑑みてなされたものであって、従って上記課題を解決するために、本発明の請求項１に係る防音パネルが採用した手段は、矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、前記ケースの一方向を向く複数の波形加工が施され、かつ多数の微細な貫通孔が設けられた縦波形付金属部材と、この縦波形付金属部材の波形加工方向と直交する他方向向きの複数の波形加工が施され、かつ多数の微細な貫通孔が設けられた横波形付金属部材が交互に積層されてなることを特徴とする。
【００１２】
本発明の請求項２に係る防音パネルが採用した手段は、矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、斜め方向を向く複数の傾斜波形加工が施され、かつ多数の微細な貫通孔が設けられた傾斜波形付金属部材が、隣り合う傾斜波形付金属部材の傾斜波形が交差するように交互に積層されてなることを特徴とする。
【００１３】
本発明の請求項３に係る防音パネルが採用した手段は、矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、前記ケースの一方向を向く複数の波形加工が施され、かつ多数の微細な貫通孔が設けられた縦波形付金属部材が、波形の頂部を接触させた状態で積層されてなることを特徴とする。
【００１４】
本発明の請求項４に係る防音パネルが採用した手段は、矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、複数の波形加工が施され、かつ多数の微細な貫通孔が設けられた波形付金属部材と、多数の微細な貫通孔が設けられた平面金属部材が交互に積層されてなることを特徴とする。
【００１５】
本発明の請求項５に係る防音パネルが採用した手段は、矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、一部分に複数の波形加工が施され、かつ多数の微細な貫通孔が設けられた第１波形付金属部材と、この第１波形付金属部材の波形加工が施されていない平面部に先端部が接触する複数の波形加工が施され、かつ多数の微細な貫通孔が設けられた第２波形付金属部材が交互に積層されてなるとを特徴とする。
【００１６】
本発明の請求項６に係る防音パネルが採用した手段は、請求項１乃至５のうちの何れか一つの項に記載の防音パネルにおいて、前記吸音部材を構成する波形付金属部材の波形は、円弧波状であることを特徴とする。
【００１７】
本発明の請求項７に係る防音パネルが採用した手段は、請求項１乃至５のうちの何れか一つの項に記載の防音パネルにおいて、前記吸音部材を構成する波形付金属部材の波形は、四角波状であることを特徴とする。
【００１８】
本発明の請求項８に係る防音パネルが採用した手段は、請求項１乃至５のうちの何れか一つの項に記載の防音パネルにおいて、前記吸音部材を構成する波形付金属部材の波形は、台形波状であることを特徴とする。
【００１９】
本発明の請求項９に係る防音パネルが採用した手段は、請求項１乃至５のうちの何れか一つの項に記載の防音パネルにおいて、前記吸音部材を構成する波形付金属部材の波形は、三角波状であることを特徴とする。
【００２０】
本発明の請求項１０に係る防音パネルが採用した手段は、請求項６乃至９のうちの何れか一つの項に記載の防音パネルにおいて、前記吸音部材を構成する波形付金属部材は、板であることを特徴とする。
【００２１】
本発明の請求項１１に係る防音パネルが採用した手段は、請求項６乃至９のうちの何れか一つの項に記載の防音パネルにおいて、前記吸音部材を構成する波形付金属部材は、箔であることを特徴とする。
【００２２】
本発明の請求項１２に係る防音パネルが採用した手段は、請求項６乃至９のうちの何れか一つの項に記載の防音パネルにおいて、前記吸音部材を構成する波形付金属部材は、表面に繊維が貼着されてなる板であることを特徴とする。
【００２３】
本発明の請求項１３に係る防音パネルが採用した手段は、請求項６乃至９のうちの何れか一つの項に記載の防音パネルにおいて、前記吸音部材を構成する波形付金属部材は、表面に繊維が貼着されてなる箔であることを特徴とする。
【００２４】
本発明の請求項１４に係る防音パネルが採用した手段は、請求項１０乃至１３のうちの何れか一つの項に記載の防音パネルにおいて、前記吸音部材を構成する波形付金属部材の端縁は、シール機能を有する接着材でケースの内壁に接合されてなることを特徴とする。
【００２５】
本発明の請求項１５に係る防音パネルが採用した手段は、請求項１０乃至１３のうちの何れか一つの項に記載の防音パネルにおいて、前記吸音部材を構成する波形付金属部材の端縁は、発泡剤でケースの内壁に接合されてなることを特徴とする。
【００２６】
本発明の請求項１６に係る防音パネルが採用した手段は、請求項１０乃至１３のうちの何れか一つの項に記載の防音パネルにおいて、前記吸音部材を構成する波形付金属部材の端縁同士は、折り曲げ加工により結合されてなることを特徴とする。
【００２７】
本発明の請求項１７に係る防音パネルが採用した手段は、請求項１６に記載の防音パネルにおいて、前記吸音部材を構成する波形付金属部材の端縁は、端縁を挟んで係止する係止部材を介してケースの内壁に固定されてなることを特徴とする。
【００２８】
本発明の請求項１８に係る防音パネルが採用した手段は、請求項１６に記載の防音パネルにおいて、前記吸音部材を構成する波形付金属部材の端縁は、ケースの内壁に突設された貼着部材に貼着されてなることを特徴とする。
【００２９】
本発明の請求項１９に係る防音パネルが採用した手段は、請求項１６に記載の防音パネルにおいて、前記吸音部材を構成する波形付金属部材の端縁は、嵌合式のケースの嵌合部の相対する面の間に挟着されてなることを特徴とする。
【００３０】
本発明の請求項２０に係る防音パネルが採用した手段は、請求項１６に記載の防音パネルにおいて、前記吸音部材を構成する波形付金属部材の端縁にネジ穴を有する端縁取付け部材が設けられ、この端縁取付け部材がケースに設けられた穴に嵌入されたネジにより固定されてなることを特徴とする。
【００３１】
本発明の請求項２１に係る防音パネルが採用した手段は、請求項１６に記載の防音パネルにおいて、前記吸音部材を構成する波形付金属部材の端縁は、ケースの内壁に突設された端縁受け部材と、ケースに設けられた穴に嵌入されたネジによりケースの内壁側に移動して前記端縁受け部材に受けられた波形付金属部材の端縁を押圧する端縁押圧部材により固定されてなることを特徴とする。
【００３２】
本発明の請求項２２に係る防音パネルが採用した手段は、請求項１６に記載の防音パネルにおいて、前記吸音部材を構成する波形付金属部材の端縁は、ケースの内壁に形成された横Ｍ型の挟圧形成部により挟圧されてなることを特徴とする。
【００３３】
本発明の請求項２３に係る防音パネルが採用した手段は、矩形状の枠部を備え、この枠部の一側に背面板を備えると共に、他側の開口側が、音波が通過し得る複数の音波通過通路を備えた着脱自在な正面板により覆われるケース内に吸音材が収納されてなる防音パネルにおいて、前記吸音部材は、前記背面板との間、前記正面板との間に空気層を隔てて前記ケース内に設けられ、多数の微細な貫通孔が設けられた平面金属部材であることを特徴とする。
【００３４】
本発明の請求項２４に係る防音パネルが採用した手段は、請求項２３に記載の防音パネルにおいて、前記吸音部材を構成する平面金属部材は、板であることを特徴とする。
【００３５】
本発明の請求項２５に係る防音パネルが採用した手段は、請求項２３に記載の防音パネルにおいて、前記吸音部材を構成する平面金属部材は、箔であることを特徴とする。
【００３６】
本発明の請求項２６に係る防音パネルが採用した手段は、請求項２３に記載の防音パネルにおいて、前記吸音部材を構成する平面金属部材は、箔または多孔を備えた箔を複数重ねた多重箔であることを特徴とする。
【００３７】
本発明の請求項２７に係る防音パネルが採用した手段は、請求項２３に記載の防音パネルにおいて、前記吸音部材を構成する平面金属部材は、表面に繊維が貼着されてなる板であることを特徴とする。
【００３８】
本発明の請求項２８に係る防音パネルが採用した手段は、請求項２３に記載の防音パネルにおいて、前記吸音部材を構成する平面金属部材は、表面に繊維が貼着されてなる箔であることを特徴とする。
【００３９】
本発明の請求項２９に係る防音パネルが採用した手段は、請求項２４乃至２８のうちの何れか一つの項に記載の防音パネルにおいて、前記吸音部材を構成する平面金属部材の端縁は、端縁を挟んで係止する係止部材を介してケースの内壁に固定されてなることを特徴とする。
【００４０】
本発明の請求項３０に係る防音パネルが採用した手段は、請求項２４乃至２８のうちの何れか一つの項に記載の防音パネルにおいて、前記吸音部材を構成する平面金属部材の端縁は、ケースの内壁に突設された貼着部材に貼着されてなることを特徴とする。
【００４１】
本発明の請求項３１に係る防音パネルが採用した手段は、請求項２４乃至２８のうちの何れか一つの項に記載の防音パネルにおいて、前記吸音部材を構成する平面金属部材の端縁は、嵌合式のケースの嵌合部の相対する面の間に挟着されてなることを特徴とする。
【００４２】
本発明の請求項３２に係る防音パネルが採用した手段は、請求項２４乃至２８のうちの何れか一つの項に記載の防音パネルにおいて、前記吸音部材を構成する平面金属部材の端縁にネジ穴を有する端縁取付け部材が設けられ、この端縁取付け部材がケースに設けられた穴に嵌入されたネジにより固定されてなることを特徴とする。
【００４３】
本発明の請求項３３に係る防音パネルが採用した手段は、請求項２４乃至２８のうちの何れか一つの項に記載の防音パネルにおいて、前記吸音部材を構成する平面金属部材の端縁は、ケースの内壁に突設された端縁受け部材と、ケースに設けられた穴に嵌入されたネジによりケースの内壁側に移動して前記端縁受け部材に受けられた波形付金属部材の端縁を押圧する端縁押圧部材により固定されてなることを特徴とする。
【００４４】
本発明の請求項３４に係る防音パネルが採用した手段は、請求項２４乃至２８のうちの何れか一つの項に記載の防音パネルにおいて、前記吸音部材を構成する平面金属部材の端縁は、ケースの内壁に形成された横Ｍ型の挟圧形成部により挟圧されてなることを特徴とする。
【００４５】
本発明の請求項３５に係る防音パネルが採用した手段は、請求項２４乃至２８のうちの何れか一つの項に記載の防音パネルにおいて、前記吸音部材を構成する平面金属部材の端縁は、ケースの相対する内壁側のそれぞれに設けられた平行な掛回し部材に掛回されてなることを特徴とする。
【００４６】
本発明の請求項３６に係る防音壁が採用した手段は、防音壁フレームの複数のパネル取付け枠のそれぞれに、前記請求項１４または１５および請求項１７乃至２２のうちの何れか一つの項に記載の防音パネルを嵌込んで固定したことを特徴とする。
【００４７】
本発明の請求項３７に係る防音壁が採用した手段は、防音壁フレームの複数のパネル取付け枠のそれぞれに、請求項２９乃至３５のうちの何れか一つの項に記載の防音パネルを嵌込んで固定したことを特徴とする。
【００４８】
本発明の請求項３８に係る防音パネルが採用して手段は、請求項１乃至３５のうちの何れか一つの項に記載の防音パネルにおいて、前記ケースの内部の長手方向に直交する向きに、防音対象となる音の波長の１／２より小さな間隔で仕切り板が設けられてなることを特徴とする。
【００４９】
本発明の請求項３９に係る防音パネルが採用して手段は、請求項１乃至３５のうちの何れか一つの項に記載の防音パネルにおいて、前記ケースの内部の長手方向に直交する向きに、防音対象となる音の波長の１／２の倍数以外の間隔で仕切り板が設けられてなることを特徴とする。
【００５０】
本発明の請求項４０に係る防音パネルが採用して手段は、請求項１乃至３５のうちの何れか一つの項に記載の防音パネルにおいて、前記ケースの内部の長手方向に直交する向きに、防音対象となる複数の周波数の音に対してランダムな間隔で仕切り板が設けられてなることを特徴とする。
【００５１】
本発明の請求項４１に係る防音壁が採用して手段は、防音壁フレームの複数のパネル取付け枠のそれぞれに、前記請求項３８乃至４０のうちの何れか一つの項に記載の防音パネルを嵌込んで固定したことを特徴とする。
【発明の効果】
【００５２】
本発明の請求項１乃至２２に係る防音パネルまたは本発明の請求項３６に係る防音壁によれば、波形付金属部材の波形同士または波形付金属部材の波形と平面金属部材との間に空気層が形成されるため、音波の共鳴現象が起こり、これらの金属部材にあけられた多数の微細な貫通孔部で激しく振動する空気の粘性作用によって音波エネルギーが消散する。
また、本発明の請求項２３乃至３５に係る防音パネルまたは本発明の請求項３７に係る防音壁によれば、空気の粘性作用により空気振動の熱エネルギーへの変換が促進される結果、広い周波数帯域幅で十分な吸音性能が確実に発揮されるため、共鳴周波数の騒音の他、この周波数以外の騒音に対しても優れた吸音性能が発揮される。また、請求項２６のように、平面金属部材が箔または多孔を備えた箔を複数重ねた多重箔である場合に、従来例１と同様の構成を採用することにより、さらに擦れ合いによる音波エネルギーの消散効果も得られる。従って、従来例１，２に係る防音構造の場合と同様に、共振現象のみを利用して音波エネルギーを消散させる吸音構造に比較して、より広範囲の周波数帯域で優れた吸音性能を発揮することができる。
【００５３】
また、本発明の請求項１乃至２２、請求項２３乃至３５に係る防音パネルまたは本発明の請求項３６，３７に係る防音壁によれば、吸音部材が金属板から構成されているから、シュレッダーダスト等として処分せざるを得なかった従来に係る吸音構造のグラスウール等の難リサイクル材に比較してリサイクルが容易である。
【００５４】
本発明の請求項３８に係る防音パネルまたは本発明の請求項４１に係る防音壁によれば、前記ケースの内部の長手方向に直交する向きに、防音対象となる音の波長の１／２より小さな間隔で仕切り板が設けられている。従って、防音パネル内に侵入した音波は吸音部材と直交する方向に進行するから、防音パネルの吸音効果が向上する。
【００５５】
本発明の請求項３９に係る防音パネルまたは本発明の請求項４１に係る防音壁によれば、前記ケースの内部の長手方向に直交する向きに、防音対象となる音の波長の１／２の倍数以外の間隔で仕切り板が設けられている。従って、防音パネル内に侵入した音波は、吸音部材に沿う方向に進行することがなく、吸音部材と直交する方向に進行するから、防音パネルの吸音効果が向上する。
【００５６】
本発明の請求項４０に係る防音パネルまたは本発明の請求項４１に係る防音壁によれば、前記ケースの内部の長手方向に直交する向きに、防音対象となる複数の周波数の音に対してランダムな間隔で仕切り板が設けられている。従って、防音パネル内に侵入した特定周波数の音波の吸音性能の低下が防止されるから、複数の周波数の音に対する防音パネルの吸音効果が向上する。
【発明を実施するための最良の形態】
【００５７】
以下、本発明の形態に係る防音パネルおよび防音壁を、添付図面を順次参照しながら説明する。
【００５８】
本発明の形態１に係る防音パネルおよび防音壁を説明する。図１は本発明の形態１に係る防音壁の正面図、図２は本発明の形態１に係る防音壁に使用する防音パネルの模式的正面図、図３は図２のＡ−Ａ線断面図、図４は図２のＢ−Ｂ線断面図である。
【００５９】
図１に示す符号１は、本発明の形態１に係る防音壁で、この防音壁１には後述する構成になる防音パネル２が１６枚使用されている。この防音パネル２は、図２乃至４に示すように、矩形状の後述するケース２ａと、このケース２ａ内に収納される、後述する吸音部材とからなるアルミニウム製のものである。前記ケース２ａは、矩形状の枠部２ｂを備え、この枠部２ｂの一側に背面板２ｃを備えると共に、他側の開口側が、音波が通過し得る複数の音波通過通路Ｐａを備えた着脱自在な０．８ｍｍ厚さの正面板２ｄにより覆われている。この場合、前記音波通過通路Ｐａは、直径が０．８ｍｍの貫通穴である。なお、この防音パネル２が防音壁フレームに取付けられ後、この防音パネル２の正面板２ｄの表面に、防音パネル２内に音波を通し、かつ防音パネル２内への雨の浸入を防止するためのガラリ１ａが取付けられる。
【００６０】
前記吸音部材は、前記ケース２ａの、図における上下方向の一方向に向く複数の円弧波形加工が施され、かつ図示しない多数の微細な貫通孔が設けられた縦円弧波形付アルミニウム薄板（縦波形付金属部材）２ｅと、この縦円弧波形付アルミニウム薄板２ｅの波形加工方向と直交する図における左右方向の他方向に向く複数の円弧波形加工が施され、かつ図示しない多数の微細な貫通孔が設けられた横円弧波形付アルミニウム薄板（縦波形付金属部材p２ｆとが交互に積層されてなる構成になっている。この場合、波形付アルミニウム薄板は３層構成になっているが、特に３層構成に限るものではなく、２層構成でも、４層構成でも良い。つまり、波形付アルミニウム薄板の層数は仕様によって決定されるべきものである。
【００６１】
この形態１係る防音壁１に使用する防音パネル２においては、前記縦円弧波形付アルミニウム薄板２ｅと横円弧波形付アルミニウム薄板２ｆは、何れも０．１〜０．３ｍｍ厚さのものである。これら縦円弧波形付アルミニウム薄板２ｅ、横円弧波形付アルミニウム薄板２ｆは、アルミニウム薄板に、例えばロール圧延により直径０．１ｍｍ程度の多数の微細な貫通孔を明けた後、例えばプレス成形により高さ寸法が２０ｍｍの円弧波状加工を施して製作されたものである。なお、このような防音パネル２は工場で製造され、そして現地に搬送されて防音壁フレームに取付けられるものである。
【００６２】
以下に、本発明の形態１に係る防音壁１、または防音パネル２の作用態様を説明する。
即ち、吸音部材である縦円弧波形付アルミニウム薄板２ｅの円弧波形と、横円弧波形付アルミニウム薄板２ｆの円弧波形との間に空気層が形成されるため、音波の共鳴現象が起こり、これら波形付アルミニウム薄板にあけられた多数の微細な貫通孔部で激しく振動する空気の粘性作用によって音波エネルギーが消散する。従って、本発明の形態１に係る防音壁１、または防音パネル２によれば、従来例の場合と同様に、共振現象のみを利用して音波エネルギーを消散させる吸音構造に比較して、より広範囲の周波数帯域で優れた吸音性能を発揮することができる。
【００６３】
また、本発明の形態１に係る防音壁１または防音パネル２によれば、吸音材がアルミニウム薄板を使用しているから、従来例１または２に係る防音構造と同様に、シュレッダーダスト等として処分せざるを得なかった吸音構造のグラスウール等の難リサイクル材に比較してリサイクルが容易である。
【００６４】
本発明の形態２に係る防音壁に使用する防音パネルを、添付図面を参照しながら説明する。図５は、円弧状波形加工された円弧状傾斜波形付アルミニウム薄板の組立状態説明斜視図である。なお、この防音パネルを使用する形態２に係る防音壁の全体構成は、上記形態１に係る防音壁と同形状であるから、防音壁の構成に係る説明は割愛する。
【００６５】
即ち、この形態２に係る防音パネルの吸音部材は、斜め方向に向く複数の傾斜円弧波形加工が施され、かつ多数の微細な貫通孔が設けられた傾斜円弧波形付アルミニウム薄板２ｇが、隣り合う傾斜円弧波形付アルミニウム薄板２ｇの傾斜円弧波形が交差するように交互に積層されて、図示しないケース内に収納されている。この傾斜円弧波形付アルミニウム薄板２ｇの多数の微細な貫通孔の直径や円弧波形の高さ寸法は、上記形態１の場合と同様の値に設定されている。
【００６６】
本発明の形態２に係る防音壁に使用する防音パネルによれば、アルミニウム薄板に加工されている円弧波形が傾斜している点が上記形態１に係る防音壁に使用する防音パネルと相違しているだけである。従って、本発明の形態２に係る防音壁に使用する防音パネルは、上記形態１に係る防音壁に使用する防音パネルと同効である。
【００６７】
以上の形態１，２に係る防音パネルの場合、重なり合う円弧状波形付アルミニウム薄板の円弧波形同士は交差して先端同士が接触しているが、重なり合う円弧状波形付アルミニウム薄板の円弧波形同士は交差していなくても良い。例えば、本発明の形態３に係る防音パネルは、後述するように構成されている。即ち、図示省略しているが、重なり合う円弧状波形付アルミニウム薄板の円弧波形同士は同一方向を向いており、そして円弧波形の先端同士が接触するように構成されている。従って、円弧波形の間に空気層が形成されるため、音波の共鳴現象が起こり、これらの波形付アルミニウム薄板にあけられた多数の微細な貫通孔部で激しく振動する空気の粘性作用によって音波エネルギーが消散するから、このような構成によっても、上記形態１，２に係る防音パネルと同等の効果を得ることができる。
【００６８】
本発明の形態４に係る防音壁に使用する防音パネルを、添付図面を参照しながら説明する。図６は本発明の形態３に係る防音壁に使用する防音パネルの模式的正面図、図７は図６のＣ−Ｃ線断面図、図８は図６のＤ−Ｄ線断面図である。
【００６９】
本発明の形態４に係る防音壁に使用する防音パネル３は、図６乃至８に示すように、上記形態１に係るケースと同構成になるケース３ａと、このケース３ａ内に収納される後述する吸音部材とから構成されている。前記吸音部材は、前記ケース３ａの、図における上下方向の一方向に向く複数の縦円弧波形加工が施され、かつ図示しない多数の微細な貫通孔が設けられた縦円弧波形付アルミニウム薄板３ｅと、多数の微細な貫通孔が設けられたアルミニウム薄板３ｆとが交互に積層されてなる構成になっている。
【００７０】
この形態４に係る防音壁に使用する防音パネル３の縦円弧波形付アルミニウム薄板３ｅは、０．１〜０．３ｍｍ厚さのアルミニウム薄板に、例えばロール圧延により直径０．１ｍｍ程度の多数の微細な貫通孔を明けた後、例えばプレス成形により高さ寸法が２０ｍｍの縦円弧波形加工を施したものであり、上記形態１の場合と同様である。なお、この形態３に係る防音壁に使用する防音パネル３においては縦円弧波形付アルミニウム薄板３ｅを採用しているが、上記形態１に係る防音壁に使用する防音パネルに用いた横円弧波形付アルミニウム薄板に置換することができる。
【００７１】
ところで、アルミニウム薄板が極めて薄く、５００ｍｍ×２０００ｍｍ程度の寸法になるとその剛性の関係上、ケースに組込むことが困難な場合には、アルミニウム薄板を後述するような構成になる枠体に取付け、アルミニウム薄板を取付けた枠をケースに組込む構成にすることができる。その場合、ケースの上下構成部品にガイドレールを有するアルミニウム押出し部材を用い、引き戸のようにガイドレールに沿ってスライドさせて押込んだ後、長手方向の一方のサイドの縦部材を固着して矩形状にすることにより、防音パネルが構成されることとなる。
【００７２】
即ち、障子枠状の貼着枠に両面テープを用いてアルミニウム薄板を貼着し、このアルミニウム薄板を貼着した貼着枠をケースに組込んでも良い。また、チャンネル状のアルミニウム部材を、開口側を相対する側に向けた矩形状のアルミニウム薄板取付枠を作成し、このアルミニウム薄板取付枠の溝に、アルミニウム薄板の端部が嵌込まれた、断面角状のゴム紐を嵌め込んでアルミニウム薄板を張力を付与した状態で取付け、アルミニウム薄板を取付けたアルミニウム薄板取付枠をケースに組込んでも良い。また、矩形状のアルミニウム薄板取付け枠を作成し、このアルミニウム薄板取付け枠にアルミニウム薄板を巻き付けて無端状にした後、アルミニウム薄板を巻き付けたアルミニウム薄板取付け枠をケースに組込んでも良い。さらに、アルミニウム薄板取付枠の枠部材の側面に溝を設け、ゴム紐をアルミニウム薄板の上側から溝に押し込んで、所謂網戸の網のように、アルミニウム薄板をアルミニウム薄板取付枠に取付け、アルミニウム薄板を取付けたアルミニウム薄板取付枠をケースに組込んでも良い。
【００７３】
本発明の形態４に係る防音壁に用いる防音パネル３によれば、上記形態１に係る防音壁に用いる防音パネルの場合と同様に、縦円弧波形付アルミニウム薄板３ｅの円弧波形と、アルミニウム薄板３ｆの平面部との間に空気層が形成されるため、音波の共鳴現象が起こり、これら波形付アルミニウム薄板にあけられた多数の微細な貫通孔部で激しく振動する空気の粘性作用によって音波エネルギーが消散する。従って、従来例１の場合と同様に、共振現象のみを用いて音波エネルギーを消散させる吸音構造に比較して、より広範囲の周波数帯域で優れた吸音性能を発揮することができるから、上記形態１に係る防音壁に用いる防音パネルと同効である。
【００７４】
本発明の形態５に係る防音壁に用いる防音パネルを説明する。なお、この防音パネルを使用する防音壁の全体構成は、上記形態１に係る防音壁と同形状であるから、防音壁に係る説明は割愛する。
【００７５】
この形態５に係る防音壁に用いる防音パネルの吸音部材は、後述する２種類の円弧波形付アルミニウム薄板が交互に積層されて構成されている。即ち、一方の第１円弧波形付アルミニウム薄板の４個所の周縁部には、外方向向きに複数の円弧波形加工が施されており、それ以外の中央部分は平面になっている。そして、これら円弧波形加工領域、および平面領域に多数の微細な貫通孔が設けられている。また、前記第１円弧波形付アルミニウム薄板に積層される他方の第２円弧波形付アルミニウム薄板は、この第１円弧波形付アルミニウム薄板の平面領域に先端部が接触する複数の円弧波形加工が施されおり、それ以外の４個所の周縁部は平面になっている。そして、これら円弧波形加工領域、および平面領域に多数の微細な貫通孔が設けられている。
【００７６】
本発明の形態５に係る防音壁に用いる防音パネルでは、一方の第１円弧波形付アルミニウム薄板の円弧波形と他方の第２円弧波形付アルミニウム薄板の平面部との間に空気層が形成されると共に、他方の第２円弧波形付アルミニウム薄板の円弧波形と一方の第１円弧波形付アルミニウム薄板の平面部との間に空気形成される。従って、本発明の形態４に係る防音壁に用いる防音パネルによれば、円弧波形と平面部との間に空気層が形成されるため、音波の共鳴現象が起こり、これら波形付アルミニウム薄板にあけられた多数の微細な貫通孔部で激しく振動する空気の粘性作用によって音波エネルギーが消散するから、本実施の形態４は上記形態１と同効である。
【００７７】
本発明の形態１乃至５に係る防音パネルの吸音部材は円弧波形付アルミニウム薄板から構成されているが、箔であっても良く、表面に繊維が貼着されてなる板であっても良く、表面に繊維が貼着されてなる箔であっても良い。
【００７８】
また、本発明の形態１乃至５に係る防音パネルの吸音部材である円弧波形付アルミニウム薄板の端縁は、後述する手段のうちの何れかによりケースの内壁に取付けられている。
（１）円弧波形付アルミニウム薄板の端縁を、シール機能を有する接着材によりケースの内壁に接合する。
（２）円弧波形付アルミニウム薄板の端縁を、発泡剤によりケースの内壁に接合する。
（３）円弧波形付アルミニウム薄板の端縁同士を、折り曲げ加工により結合すると共に、係止部材を介してケースの内壁に固定する。
（４）円弧波形付アルミニウム薄板の端縁を、ケースの内壁に突設された貼着部材に貼着する。
（５）円弧波形付アルミニウム薄板の端縁を、嵌合式のケースの嵌合部の相対する面の間に挟着する。
（６）円弧波形付アルミニウム薄板の端縁にネジ穴を有する端縁取付け部材を設け、この端縁取付け部材をケースに設けられた穴に嵌入されたネジにより固定する。
（７）円弧波形付アルミニウム薄板の端縁を、ケースの内壁に突設された端縁受け部材と、ケースに設けられた穴に嵌入されたネジによりケースの内壁側に移動して前記端縁受け部材に受けられた波形付金属部材の端縁を押圧する端縁押圧部材により固定する。
（８）円弧波形付アルミニウム薄板の端縁を、ケースの内壁に形成された横Ｍ型の挟圧形成部により挟圧する。
【００７９】
ところで、以上の実施の形態１乃至５に係る防音パネルの場合にあっては、高速道路の防音壁に用いる防音パネルの吸音部材であるアルミニウム薄板に加工する波形が円弧波形である場合を例として説明した。しかしながら、アルミニウム薄板に加工する波形は、特に円弧波形に限定されるものではない。例えば、アルミニウム薄板に四角波形加工が施されていても良く、台形波形加工が施されていても良く、また三角波形加工が施されていても良く、何れの波形であっても同等の機能を発揮することができる。
【００８０】
本発明の形態６に係る防音壁に使用する防音パネルを、その模式的横断断面図の図９を参照しながら説明する。本発明の形態６に係る防音壁に使用する防音パネル５は、矩形状のケース５ａと、このケース５ａ内に収納される、後述する吸音部材とからなるアルミニウム製のものである。前記ケース５ａは、矩形状の枠部５ｂを備え、この枠部５ｂの一側に背面板５ｃを備えると共に、他側の開口側が、音波が通過し得る複数の音波通過通路Ｐａを備えた着脱自在な正面板５ｄにより覆われている。この場合、前記音波通過通路Ｐａは、直径が０．８ｍｍの貫通穴である。
【００８１】
前記吸音部材は、前記背面板５ｃとの間、前記正面板５ｄとの間、および自身同士の間に空気層を隔てて、前記ケース５ａ内の上部と下部の対応位置のそれぞれに設けられ、長手方向に沿う円形断面をした穴と、相対する側から穴に連通する溝が設けられてなる３対の端部係止部５ｅに、丸棒状の係合部材５ｇを介して端縁が係止され、多数の微細な貫通孔が設けられた３枚のアルミニウム箔５ｆから構成されている。これらアルミニウム箔５ｆは、何れも前記係合部材５ｇが前記端部係止部５ｅの穴に嵌挿されることにより取付けられるものである。勿論、取付け作業終了後は、側面部材が固着されケース５ａが構成される。この場合、アルミニウム箔５ｆは３層構成になっているが、特に３層構成に限るものではなく、仕様によって変更されるべきものである。
【００８２】
この形態６係る防音壁１に使用する防音パネル５おいては、前記アルミニウム箔５ｆの厚さは、何れも３０μｍである。なお、この場合、端部係止部５ｅには円形断面をした穴を有する形状に構成され、また係合部材５ｇは丸棒状である。しかしながら、これに限らず、例えば、端部係止部５ｅに四角断面をした穴を有する形状に構成し、そして係合部材５ｇを四角棒状にすることができる。即ち、押出し型材を使用するため、上記のようなことが容易に実現される。
【００８３】
以下、本発明の形態６に係る防音壁に使用する防音パネル５の作用態様について説明する。即ち、この防音パネル５によれば、従来例２に係る防音構造と同様に、空気に粘性作用を発生させることによって、粘性作用による空気振動の熱エネルギーへの変換が促進される結果、広い周波数帯域幅で十分な吸音性能が確実に発揮される。これにより、共鳴周波数の騒音の他、この周波数以外の騒音に対しても優れた吸音性能が発揮されるから、上記形態１に係る防音壁に使用する防音パネルと同効である。
【００８４】
本発明の形態７に係る防音壁に使用する防音パネルを、その模式的横断断面図の図１０を参照しながら説明する。本発明の形態６に係る防音壁に使用する防音パネル防音パネル６は、矩形状のケース６ａと、このケース６ａ内に収納される、後述する吸音部材とからなるアルミニウム製のものである。前記ケース６ａは、矩形状の枠部６ｂを備え、この枠部６ｂの一側に背面板６ｃを備えると共に、他側の開口側が、音波が通過し得る複数の音波通過通路Ｐａを備えた着脱自在な正面板６ｄにより覆われている。この場合、前記音波通過通路Ｐａは、直径が０．８ｍｍの貫通穴である。
【００８５】
前記吸音部材は、前記背面板６ｃとの間、前記正面板６ｄとの間、および自身同士の間に空気層を隔てて、前記ケース６ａ内の上部と下部の対応位置のそれぞれに設けられ、相対する方向に突出する平板条状の３対の貼着部材６ｅの表面に、両面テープを介して端縁が貼着され、多数の微細な貫通孔が設けられた３枚のアルミニウム箔６ｆから構成されている。この場合、アルミニウム箔６ｆは３層構成になっているが、上記形態５の場合と同様に、特に３層構成に限るものではなく、仕様により変更されるべきものである。また、前記アルミニウム箔６ｆの厚さは、何れも３０μｍである。
【００８６】
以下、本発明の形態７に係る防音壁に使用する防音パネル６の作用態様について説明する。即ち、この防音パネル６によれば、従来例２に係る防音構造と同様に、空気に粘性作用を発生させることによって、粘性作用による空気振動の熱エネルギーへの変換が促進される結果、広い周波数帯域幅で十分な吸音性能が確実に発揮される。これにより、共鳴周波数の騒音の他、この周波数以外の騒音に対しても優れた吸音性能が発揮されるから、上記形態１の防音壁に使用する防音パネルと同効である。
【００８７】
また、アルミニウム箔の端縁を上記形態６，７以外の後述する手段によってケースの内壁に取付けることができる。
（１）アルミニウム箔の端縁を、雄枠と雌枠とからなる嵌合式のケースの嵌合部の相対する面の間に挟着する。（形態８）
（２）アルミニウム箔の端縁を、端縁にネジ穴を有する端縁取付け部材を設け、この端縁取付け部材がケースに設けられた穴に嵌入されたネジにより固定する。（形態９）
（３）アルミニウム箔の端縁を、ケースの内壁に突設された端縁受け部材と、ケースに設けられた穴に嵌入されたネジによりケースの内壁側に移動して前記端縁受け部材に受けられた波形付金属部材の端縁を押圧する端縁押圧部材により固定する。（形態１０）
（４）アルミニウム箔の端縁を、ケースの内壁に形成された横Ｍ型の挟圧形成部により挟（５）圧する。（形態１１）
アルミニウム箔の端縁を、ケースの相対する内壁側のそれぞれに設けられた平行な掛回し部材に掛回す。（形態１２）
【００８８】
上記形態６乃至１２においては、吸音部材としてアルミニウム箔を用いたが、アルミニウム薄板を用いることができ、表面に繊維が貼着されてなるアルミニウム板を用いることができ、また表面に繊維が貼着されてなるアルミニウム箔を用いることもできる。
【００８９】
ところで、上記形態１乃至１２に係る防音パネルのケースの内部の長手方向に直交する向きに、複数の仕切り板を設けることにより、防音パネルの吸音効果を向上させることができるという優れた防音効果を得ることができる。
【００９０】
より詳しくは、防音対象となる音の波長の１／２より小さな間隔で仕切り板を設けることにより、この防音パネル内に侵入した音波を吸音部材と直交する方向に進行させることができるため防音パネルの吸音効果が向上する。また、防音対象となる音の波長の１／２の倍数以外の間隔で仕切り板を設けることにより、防音パネル内に侵入した音波の吸音部材に沿う方向への進行を防ぎ、吸音部材と直交する方向に進行させることができるため防音パネルの吸音効果が向上する。さらに、防音対象となる複数の周波数の音に対してランダムな間隔で仕切り板を設けることにより、防音パネル内に侵入した特定周波数の音波の吸音性能の低下を防止することができるため、複数の周波数の音に対する防音パネルの吸音効果が向上する。従って、上記構成になる３種類の防音パネルのうちの何れかを、防音壁フレームの複数のパネル取付け枠のそれぞれに嵌込んで防音壁を構成することにより防音性能がより優れた防音壁を具現することができる。
【００９１】
防音パネルのケースの内部の長手方向に直交する向きに、複数の仕切り板を配設する場合には、下記のような２つの方法のうちの何れかによれば良い。
（１）ケース内に吸音部材を配設した後に、このケースの一端側から板状の仕切り板を挿入して設置する。
（２）ケース内への吸音部材の配設時に、板状の仕切り板を配設する。
なお、仕切り板の材質については、金属（リサイクル性の点で好ましい）でも樹脂でも良く、特に材質に限定されるものではない。また、仕切り板の配設には、接着剤等で吸音部材に貼り付ける構成、ケースの端面の構成部材に配設し、吸音部材に接続しない構成にするというようなことが考えられる。
【実施例】
【００９２】
以下、本発明の形態１に係る防音壁１と、形態６に係る防音壁の斜入射吸音率を測定した実施例を説明する。この斜入射吸音率測定試験は、その測定試験状況説明図の図１１に示すような構成になる設備により行った。即ち、完全反射面（コンクリート床）にインパルス音が一定の角度で入射したときの正反射方向の反射音と、この完全反射面に試料（防音壁）を設置したときの反射音とをそれぞれ測定し、その結果から下記式によって斜入射吸音率α（θ）を求める。但し、下記式中のＥｓ（ｆ）,Ｅｒ（ｆ）は、試料（防音壁）設置時、完全反射面の反射パルスのエネルギースペクトルである。
α（θ）＝１−Ｅｓ（ｆ）／Ｅｒ（ｆ）
なお、θは０〜４５°まで１５°毎に測定したα（θ）を算術平均したものである。
【００９３】
図２乃至図４に示す防音パネル２を用いた防音壁の吸音率は、その説明グラフ図の図１２に示すとおり、４００〜３１５０Ｈｚの周波数帯域において、７０〜９０％であった。
また、図９に示す防音パネル５を用いた防音壁の吸音率は、その説明グラフ図の図１３に示すとおりであって、上記の場合と同様、４００〜３１５０Ｈｚの周波数帯域において、７０〜９０％で、何れの吸音パネルも吸音性能が極めて優れていることが分かる。
【００９４】
なお、上記実施の形態１乃至１２においては、吸音部材を構成する金属部材の材質として、アルミニウムを用いたが、例えば鋼鈑、銅板、マグネシウム板、チタン板等の金属板も用いることができるから、アルミニウムに限定されるものではない。また、上記実施の形態１乃至１２は何れも本発明の具体例に過ぎないから、これらの形態によって本発明の技術的思想の範囲が限定されるものではない。
【図面の簡単な説明】
【００９５】
【図１】本発明の形態１に係る防音壁の正面図である。
【図２】本発明の形態１に係る防音壁に使用する防音パネルの模式的正面図である。
【図３】図２のＡ−Ａ線断面図である。
【図４】図２のＢ−Ｂ線断面図である。
【図５】本発明の形態２に係る防音壁に使用する防音パネルｎ円弧状波形加工された円弧状傾斜波形付アルミニウム薄板の組立状態説明斜視図である。
【図６】本発明の形態３に係る防音壁に使用する防音パネルの模式的正面図である。
【図７】図６のＣ−Ｃ線断面図である。
【図８】図６のＤ−Ｄ線断面図である。
【図９】本発明の形態５に係る防音壁に使用する防音パネルの模式的横断断面図である。
【図１０】本発明の形態６に係る防音壁に使用する防音パネルの模式的横断断面図である。
【図１１】斜入射吸音率測定試験状況説明図である。
【図１２】図２乃至図４に示す防音パネルを用いた防音壁の吸音率説明グラフ図である。
【図１３】図９に示す防音パネルを用いた防音壁の吸音率説明グラフ図である。
【図１４】従来例１に係る防音構造の斜視図である。
【図１５】従来例１に係る防音構造の断面図である。
【図１６】従来例２に係る防音構造の断面図である。
【符号の説明】
【００９６】
１…防音壁，１ａ…ガラリ
２…防音パネル，２ａ…ケース，２ｂ…枠部，２ｃ…背面板，２ｄ…正面板，２ｅ…縦円弧波形付アルミニウム薄板，２ｆ…横円弧波形付アルミニウム薄板，２ｇ…傾斜円弧波形付アルミニウム薄板
３…防音パネル，３ａ…ケース，３ｂ…枠部，３ｃ…背面板，３ｄ…正面板，３ｅ…縦円弧波形付アルミニウム薄板，３ｆ…アルミニウム薄板
５…防音パネル，５ａ…ケース，５ｂ…枠部，５ｃ…背面板，５ｄ…正面板，５ｅ…端部係止部，５ｆ…アルミニウム箔，５ｇ…係合部材
６…防音パネル，６ａ…ケース，６ｂ…枠部，６ｃ…背面板，６ｄ…正面板，６ｅ…貼着部材，６ｆ…アルミニウム箔
【図１】
2007101959.tif 000003
【図２】
2007101959.tif 000004
【図３】
2007101959.tif 000005
【図４】
2007101959.tif 000006
【図５】
2007101959.tif 000007
【図６】
2007101959.tif 000008
【図７】
2007101959.tif 000009
【図８】
2007101959.tif 000010
【図９】
2007101959.tif 000011
【図１０】
2007101959.tif 000012
【図１１】
2007101959.tif 000013
【図１２】
2007101959.tif 000014
【図１３】
2007101959.tif 000015
【図１４】
2007101959.tif 000016
【図１５】
2007101959.tif 000017
【図１６】
2007101959.tif 000018
【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、前記ケースの一方向を向く複数の波形加工が施され、かつ多数の微細な貫通孔が設けられた縦波形付金属部材と、この縦波形付金属部材の波形加工方向と直交する他方向向きの複数の波形加工が施され、かつ多数の微細な貫通孔が設けられた横波形付金属部材が、これら金属部材の波形の頂部同士が接触する状態で交互に積層されてなることを特徴とする防音パネル。
【請求項２】
矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、斜め方向を向く複数の傾斜波形加工が施され、かつ多数の微細な貫通孔が設けられた傾斜波形付金属部材と、隣り合う傾斜波形付金属部材が、これら金属部材の波形の頂部同士が接触する状態で交差するように交互に積層されてなることを特徴とする防音パネル。
【請求項３】
前記吸音部材を構成する波形付金属部材は、表面に繊維が貼着されてなる板であることを特徴とする請求項１または２のうちの何れか一つの項に記載の防音パネル。
【請求項４】
前記吸音部材を構成する波形付金属部材は、表面に繊維が貼着されてなる箔であることを特徴とする請求項１または２のうちの何れか一つの項に記載の防音パネル。
【請求項５】
前記ケースの内部の長手方向に直交する向きに、防音対象となる音の波長の１／２より小さな間隔で仕切り板が設けられてなることを特徴とする請求項１乃至４のうちの何れか一つの項に記載の防音パネル。
【請求項６】
前記ケースの内部の長手方向に直交する向きに、防音対象となる音の波長の１／２の倍数以外の間隔で仕切り板が設けられてなることを特徴とする請求項１乃至４のうちの何れか一つの項に記載の防音パネル。
【請求項７】
前記ケースの内部の長手方向に直交する向きに、防音対象となる複数の周波数の音に対してランダムな間隔で仕切り板が設けられてなることを特徴とする請求項１乃至４のうちの何れか一つの項に記載の防音パネル。
【請求項８】
防音壁フレームの複数のパネル取付け枠のそれぞれに、前記請求項１乃至７のうちの何れか一つの項に記載の防音パネルを嵌込んで固定したことを特徴とする防音壁。
【手続補正２】
【補正対象書類名】明細書
【補正対象項目名】全文
【補正方法】変更
【補正の内容】
【発明の詳細な説明】
【技術分野】
【０００１】
本発明は、防音パネルおよび防音壁の改善に係り、より詳しくは、リサイクル性が高く、かつ軽量で、さらに低い周波数帯域から高い周波数帯域に亘って広範囲の周波数帯域の騒音を吸音することができる防音パネルおよび防音壁に関するものである。
【背景技術】
【０００２】
吸音構造体としては、従来からグラスウール等の多孔質吸音材と耐候性、耐水性、耐熱性に優れた材料を組み合わせた構造のものが用いられていた。ところが、このような吸音構造体では、グラスウールの耐候性、耐水性、耐熱性を補うことができたが十分ではなく、さらにリサイクル性の問題を解決するに至っていなかった。また、グラスウールに代表される多孔質吸音材を用いた場合以外の吸音構造である共鳴器型吸音構造や板振動型吸音構造等を利用した場合には、吸音のメカニズムの関係上、下記のような不具合があった。
即ち、吸音のメカニズムが共振現象によるエネルギー消散であるため、吸音周波数帯域が狭く、吸音性能がグラスウール等の多孔質吸音材等の多孔質吸音材に比べて劣るという不具合があった。
【０００３】
上記のような問題を解決し得るようにした吸音構造体としては、例えばアルミニウム箔や、アルミニウム薄板を用いた後述するような構成になるものが公知である。これら従来例１、２に係る吸音構造を、添付図面を参照しながら説明する。
【０００４】
従来例１に係る防音構造を、その斜視図の図１４と、その断面図の図１５を参照しながら説明する。即ち、この吸音構造は、例えばアルミニウム箔等の金属製の薄膜からなる第一の薄膜４１と、第二の薄膜４２とが互いに隣接するように積層されている。これら第一の薄膜４１と第二の薄膜４２には、図１５に示すように、これら第一の薄膜４１と第二の薄膜４２の積層方向の一側に向いた多数の突部ａが形成されている。そのため、この従来例１に係る防音構造によれば、音波が入射すると、第一、二の薄膜４１、４２が振動して、重なりあった部分が接触して擦れ合いを起こし、その結果、音波のエネルギー消散が生じて吸音される。
【０００５】
上記構成になる吸音構造では、上記のとおり、第一、二の薄膜４１、４２が接触して擦れ合うというメカニズムによって音波エネルギーを消散させるため、共振現象を利用して音波エネルギーを消散させる吸音構造に比較して、より広範囲の周波数帯域で優れた吸音性能を発揮することができる。また、第一、二の薄膜４１、４２の材料としてアルミニウム等の金属製箔を採用することにより、シュレッダーダスト等として処分せざるを得なかった従来に係る吸音構造のグラスウール等の難リサイクル材に比較して吸音構造のリサイクルが容易である。なお、第一、二の薄膜４１、４２には、多数の微細な貫通孔が設けられている（例えば、特許文献１参照。）。
【０００６】
次に、従来例２に係る防音構造を、その断面図の図１６を参照しながら同公報に用いられている同一の名称を以て説明する。即ち、この従来例２に係る防音構造は、外装板５１と多数の貫通穴５２ａを有する内装板５２とが対向配置されて構成されている。前記内装板５２は、板厚、穴径および開口率が貫通穴５２ａを流通する空気に粘性作用を発生させる、後述する設計条件を満足するように設定されている。この設定条件は、０．３以上の吸音率となる周波数帯域幅が共鳴周波数に対して１０％以上に設定されている。なお、符号５３は空気層である。
【０００７】
このような従来例２に係る防音構造によれば、空気に粘性作用を発生させることによって、粘性作用による空気振動の熱エネルギーへの変換が促進される結果、広い周波数帯域幅で十分な吸音性能が確実に発揮される。これにより、共鳴周波数の騒音の他、この周波数以外の騒音に対しても優れた吸音性能が発揮されることとなる。なお、この従来例２に係る防音構造の外装板５１および内装板５２は、鉄やアルミニウム等の金属や合成樹脂により形成されている（例えば、特許文献２参照。）。
【特許文献１】特開２００４−２６４３７４号公報
【特許文献２】特開２００３−５０５８６号公報
【発明の開示】
【発明が解決しようとする課題】
【０００８】
上記特開２００４−２６４３７４号公報、および特開２００３−５０５８６号公報に開示されてなる従来例１，２に係る吸音構造によれば、上記のとおり、共振現象のみを利用して音波エネルギーを消散させる吸音構造に比較して、広範囲の周波数帯域で優れた吸音性能を発揮することができる。また、これら従来例１，２に係る吸音構造を構成する吸音材のリサイクルが容易であるから、極めて優れている。従って、これら従来例１，２に係る吸音構造を、例えば、高速道路用の防音壁として用いることが可能になれば、騒音公害の解消に多いに寄与することが可能になると考えられる。
【０００９】
しかしながら、上記従来例１，２の何れに係る公報あっても、基本構想が開示されているだけで、具体的な構造が開示されていない。
【００１０】
従って、本発明の目的は、広範囲の周波数帯域で優れた吸音性能を発揮することができ、また吸音材のリサイクルが容易な防音パネルおよび防音壁を提供することである。
【課題を解決するための手段】
【００１１】
本発明は、上記実情に鑑みてなされたものであって、従って上記課題を解決するために、本発明の請求項１に係る防音パネルが採用した手段は、矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、前記ケースの一方向を向く複数の波形加工が施され、かつ多数の微細な貫通孔が設けられた縦波形付金属部材と、この縦波形付金属部材の波形加工方向と直交する他方向向きの複数の波形加工が施され、かつ多数の微細な貫通孔が設けられた横波形付金属部材が、これら金属部材の波形の頂部同士が接触する状態で交互に積層されてなることを特徴とする。
【００１２】
本発明の請求項２に係る防音パネルが採用した手段は、矩形状の枠部を備え、この枠部の一側に背面板を備えると共に、他側の開口側が、音波が通過し得る複数の音波通過通路を備えた正面板により覆われたケース内に吸音部材が収納されてなる防音パネルにおいて、前記吸音部材は、斜め方向を向く複数の傾斜波形加工が施され、かつ多数の微細な貫通孔が設けられた傾斜波形付金属部材と、隣り合う傾斜波形付金属部材が、これら金属部材の波形の頂部同士が接触する状態で交差するように交互に積層されてなることを特徴とする。
【００１３】
本発明の請求項３に係る防音パネルが採用した手段は、請求項１または２のうちの何れか一つの項に記載の防音パネルにおいて、前記吸音部材を構成する波形付金属部材は、表面に繊維が貼着されてなる板であることを特徴とする。
【００１４】
本発明の請求項４に係る防音パネルが採用した手段は、請求項１または２のうちの何れか一つの項に記載の防音パネルにおいて、前記吸音部材を構成する波形付金属部材は、表面に繊維が貼着されてなる箔であることを特徴とする。
【００１５】
本発明の請求項５に係る防音パネルが採用した手段は、請求項１乃至４のうちの何れか一つの項に記載の防音パネルにおいて、前記ケースの内部の長手方向に直交する向きに、防音対象となる音の波長の１／２より小さな間隔で仕切り板が設けられてなることを特徴とする。
【００１６】
本発明の請求項６に係る防音パネルが採用した手段は、請求項１乃至４のうちの何れか一つの項に記載の防音パネルにおいて、前記ケースの内部の長手方向に直交する向きに、防音対象となる音の波長の１／２の倍数以外の間隔で仕切り板が設けられてなることを特徴とする。
【００１７】
本発明の請求項７に係る防音パネルが採用した手段は、請求項１乃至４のうちの何れか一つの項に記載の防音パネルにおいて、前記ケースの内部の長手方向に直交する向きに、防音対象となる複数の周波数の音に対してランダムな間隔で仕切り板が設けられてなることを特徴とする。
【００１８】
本発明の請求項８に係る防音壁が採用した手段は、防音壁フレームの複数のパネル取付け枠のそれぞれに、前記請求項１乃至７のうちの何れか一つの項に記載の防音パネルを嵌込んで固定したことを特徴とする。
【００１９】
削除。
【００２０】
削除。
【００２１】
削除。
【００２２】
削除。
【００２３】
削除。
【００２４】
削除。
【００２５】
削除。
【００２６】
削除。
【００２７】
削除。
【００２８】
削除。
【００２９】
削除。
【００３０】
削除。
【００３１】
削除。
【００３２】
削除。
【００３３】
削除。
【００３４】
削除。
【００３５】
削除。
【００３６】
削除。
【００３７】
削除。
【００３８】
削除。
【００３９】
削除。
【００４０】
削除。
【００４１】
削除。
【００４２】
削除。
【００４３】
削除。
【００４４】
削除。
【００４５】
削除。
【００４６】
削除。
【００４７】
削除。
【００４８】
削除。
【００４９】
削除。
【００５０】
削除。
【００５１】
削除。
【発明の効果】
【００５２】
本発明の請求項１乃至４に係る防音パネルによれば、波形付金属部材の波形同士または波形付金属部材の波形と平面金属部材との間に空気層が形成されるため、音波の共鳴現象が起こり、これらの金属部材にあけられた多数の微細な貫通孔部で激しく振動する空気の粘性作用によって音波エネルギーが消散する。従って、従来例１，２に係る防音構造の場合と同様に、共振現象のみを利用して音波エネルギーを消散させる吸音構造に比較して、より広範囲の周波数帯域で優れた吸音性能を発揮することができる。
【００５３】
また、本発明の請求項１乃至４に係る防音パネルによれば、吸音部材が金属板から構成されているから、シュレッダーダスト等として処分せざるを得なかった従来に係る吸音構造のグラスウール等の難リサイクル材に比較してリサイクルが容易である。
【００５４】
本発明の請求項５に係る防音パネルまたは本発明の請求項８に係る防音壁によれば、前記ケースの内部の長手方向に直交する向きに、防音対象となる音の波長の１／２より小さな間隔で仕切り板が設けられている。従って、防音パネル内に侵入した音波は吸音部材と直交する方向に進行するから、防音パネルの吸音効果が向上する。
【００５５】
本発明の請求項６に係る防音パネルまたは本発明の請求項８に係る防音壁によれば、前記ケースの内部の長手方向に直交する向きに、防音対象となる音の波長の１／２の倍数以外の間隔で仕切り板が設けられている。従って、防音パネル内に侵入した音波は、吸音部材に沿う方向に進行することがなく、吸音部材と直交する方向に進行するから、防音パネルの吸音効果が向上する。
【００５６】
本発明の請求項７に係る防音パネルまたは本発明の請求項８に係る防音壁によれば、前記ケースの内部の長手方向に直交する向きに、防音対象となる複数の周波数の音に対してランダムな間隔で仕切り板が設けられている。従って、防音パネル内に侵入した特定周波数の音波の吸音性能の低下が防止されるから、複数の周波数の音に対する防音パネルの吸音効果が向上する。
【発明を実施するための最良の形態】
【００５７】
以下、本発明の形態に係る防音パネルおよび防音壁を、添付図面を順次参照しながら説明する。
【００５８】
本発明の形態１に係る防音パネルおよび防音壁を説明する。図１は本発明の形態１に係る防音壁の正面図、図２は本発明の形態１に係る防音壁に使用する防音パネルの模式的正面図、図３は図２のＡ−Ａ線断面図、図４は図２のＢ−Ｂ線断面図である。
【００５９】
図１に示す符号１は、本発明の形態１に係る防音壁で、この防音壁１には後述する構成になる防音パネル２が１６枚使用されている。この防音パネル２は、図２乃至４に示すように、矩形状の後述するケース２ａと、このケース２ａ内に収納される、後述する吸音部材とからなるアルミニウム製のものである。前記ケース２ａは、矩形状の枠部２ｂを備え、この枠部２ｂの一側に背面板２ｃを備えると共に、他側の開口側が、音波が通過し得る複数の音波通過通路Ｐａを備えた着脱自在な０．８ｍｍ厚さの正面板２ｄにより覆われている。この場合、前記音波通過通路Ｐａは、直径が０．８ｍｍの貫通穴である。なお、この防音パネル２が防音壁フレームに取付けられ後、この防音パネル２の正面板２ｄの表面に、防音パネル２内に音波を通し、かつ防音パネル２内への雨の浸入を防止するためのガラリ１ａが取付けられる。
【００６０】
前記吸音部材は、前記ケース２ａの、図における上下方向の一方向に向く複数の円弧波形加工が施され、かつ図示しない多数の微細な貫通孔が設けられた縦円弧波形付アルミニウム薄板（縦波形付金属部材）２ｅと、この縦円弧波形付アルミニウム薄板２ｅの波形加工方向と直交する図における左右方向の他方向に向く複数の円弧波形加工が施され、かつ図示しない多数の微細な貫通孔が設けられた横円弧波形付アルミニウム薄板（縦波形付金属部材）２ｆとが交互に積層されてなる構成になっている。この場合、波形付アルミニウム薄板は３層構成になっているが、特に３層構成に限るものではなく、２層構成でも、４層構成でも良い。つまり、波形付アルミニウム薄板の層数は仕様によって決定されるべきものである。
【００６１】
この形態１係る防音壁１に使用する防音パネル２においては、前記縦円弧波形付アルミニウム薄板２ｅと横円弧波形付アルミニウム薄板２ｆは、何れも０．１〜０．３ｍｍ厚さのものである。これら縦円弧波形付アルミニウム薄板２ｅ、横円弧波形付アルミニウム薄板２ｆは、アルミニウム薄板に、例えばロール圧延により直径０．１ｍｍ程度の多数の微細な貫通孔を明けた後、例えばプレス成形により高さ寸法が２０ｍｍの円弧波状加工を施して製作されたものである。なお、このような防音パネル２は工場で製造され、そして現地に搬送されて防音壁フレームに取付けられるものである。
【００６２】
以下に、本発明の形態１に係る防音壁１、または防音パネル２の作用態様を説明する。
即ち、吸音部材である縦円弧波形付アルミニウム薄板２ｅの円弧波形と、横円弧波形付アルミニウム薄板２ｆの円弧波形との間に空気層が形成されるため、音波の共鳴現象が起こり、これら波形付アルミニウム薄板にあけられた多数の微細な貫通孔部で激しく振動する空気の粘性作用によって音波エネルギーが消散する。従って、本発明の形態１に係る防音壁１、または防音パネル２によれば、従来例の場合と同様に、共振現象のみを利用して音波エネルギーを消散させる吸音構造に比較して、より広範囲の周波数帯域で優れた吸音性能を発揮することができる。
【００６３】
また、本発明の形態１に係る防音壁１または防音パネル２によれば、吸音材がアルミニウム薄板を使用しているから、従来例１または２に係る防音構造と同様に、シュレッダーダスト等として処分せざるを得なかった吸音構造のグラスウール等の難リサイクル材に比較してリサイクルが容易である。
【００６４】
本発明の形態２に係る防音壁に使用する防音パネルを、添付図面を参照しながら説明する。図５は、円弧状波形加工された円弧状傾斜波形付アルミニウム薄板の組立状態説明斜視図である。なお、この防音パネルを使用する形態２に係る防音壁の全体構成は、上記形態１に係る防音壁と同形状であるから、防音壁の構成に係る説明は割愛する。
【００６５】
即ち、この形態２に係る防音パネルの吸音部材は、斜め方向に向く複数の傾斜円弧波形加工が施され、かつ多数の微細な貫通孔が設けられた傾斜円弧波形付アルミニウム薄板２ｇが、隣り合う傾斜円弧波形付アルミニウム薄板２ｇの傾斜円弧波形が交差するように交互に積層されて、図示しないケース内に収納されている。この傾斜円弧波形付アルミニウム薄板２ｇの多数の微細な貫通孔の直径や円弧波形の高さ寸法は、上記形態１の場合と同様の値に設定されている。
【００６６】
本発明の形態２に係る防音壁に使用する防音パネルによれば、アルミニウム薄板に加工されている円弧波形が傾斜している点が上記形態１に係る防音壁に使用する防音パネルと相違しているだけである。従って、本発明の形態２に係る防音壁に使用する防音パネルは、上記形態１に係る防音壁に使用する防音パネルと同効である。
【００６７】
以上の形態１，２に係る防音パネルの場合、重なり合う円弧状波形付アルミニウム薄板の円弧波形同士は交差して先端同士が接触しているが、重なり合う円弧状波形付アルミニウム薄板の円弧波形同士は交差していなくても良い。例えば、本発明の形態３に係る防音パネルは、後述するように構成されている。即ち、図示省略しているが、重なり合う円弧状波形付アルミニウム薄板の円弧波形同士は同一方向を向いており、そして円弧波形の先端同士が接触するように構成されている。従って、円弧波形の間に空気層が形成されるため、音波の共鳴現象が起こり、これらの波形付アルミニウム薄板にあけられた多数の微細な貫通孔部で激しく振動する空気の粘性作用によって音波エネルギーが消散するから、このような構成によっても、上記形態１，２に係る防音パネルと同等の効果を得ることができる。
【００６８】
本発明の形態４に係る防音壁に使用する防音パネルを、添付図面を参照しながら説明する。図６は本発明の形態３に係る防音壁に使用する防音パネルの模式的正面図、図７は図６のＣ−Ｃ線断面図、図８は図６のＤ−Ｄ線断面図である。
【００６９】
本発明の形態４に係る防音壁に使用する防音パネル３は、図６乃至８に示すように、上記形態１に係るケースと同構成になるケース３ａと、このケース３ａ内に収納される後述する吸音部材とから構成されている。前記吸音部材は、前記ケース３ａの、図における上下方向の一方向に向く複数の縦円弧波形加工が施され、かつ図示しない多数の微細な貫通孔が設けられた縦円弧波形付アルミニウム薄板３ｅと、多数の微細な貫通孔が設けられたアルミニウム薄板３ｆとが交互に積層されてなる構成になっている。
【００７０】
この形態４に係る防音壁に使用する防音パネル３の縦円弧波形付アルミニウム薄板３ｅは、０．１〜０．３ｍｍ厚さのアルミニウム薄板に、例えばロール圧延により直径０．１ｍｍ程度の多数の微細な貫通孔を明けた後、例えばプレス成形により高さ寸法が２０ｍｍの縦円弧波形加工を施したものであり、上記形態１の場合と同様である。なお、この形態３に係る防音壁に使用する防音パネル３においては縦円弧波形付アルミニウム薄板３ｅを採用しているが、上記形態１に係る防音壁に使用する防音パネルに用いた横円弧波形付アルミニウム薄板に置換することができる。
【００７１】
ところで、アルミニウム薄板が極めて薄く、５００ｍｍ×２０００ｍｍ程度の寸法になるとその剛性の関係上、ケースに組込むことが困難な場合には、アルミニウム薄板を後述するような構成になる枠体に取付け、アルミニウム薄板を取付けた枠をケースに組込む構成にすることができる。その場合、ケースの上下構成部品にガイドレールを有するアルミニウム押出し部材を用い、引き戸のようにガイドレールに沿ってスライドさせて押込んだ後、長手方向の一方のサイドの縦部材を固着して矩形状にすることにより、防音パネルが構成されることとなる。
【００７２】
即ち、障子枠状の貼着枠に両面テープを用いてアルミニウム薄板を貼着し、このアルミニウム薄板を貼着した貼着枠をケースに組込んでも良い。また、チャンネル状のアルミニウム部材を、開口側を相対する側に向けた矩形状のアルミニウム薄板取付枠を作成し、このアルミニウム薄板取付枠の溝に、アルミニウム薄板の端部が嵌込まれた、断面角状のゴム紐を嵌め込んでアルミニウム薄板を張力を付与した状態で取付け、アルミニウム薄板を取付けたアルミニウム薄板取付枠をケースに組込んでも良い。また、矩形状のアルミニウム薄板取付け枠を作成し、このアルミニウム薄板取付け枠にアルミニウム薄板を巻き付けて無端状にした後、アルミニウム薄板を巻き付けたアルミニウム薄板取付け枠をケースに組込んでも良い。さらに、アルミニウム薄板取付枠の枠部材の側面に溝を設け、ゴム紐をアルミニウム薄板の上側から溝に押し込んで、所謂網戸の網のように、アルミニウム薄板をアルミニウム薄板取付枠に取付け、アルミニウム薄板を取付けたアルミニウム薄板取付枠をケースに組込んでも良い。
【００７３】
本発明の形態４に係る防音壁に用いる防音パネル３によれば、上記形態１に係る防音壁に用いる防音パネルの場合と同様に、縦円弧波形付アルミニウム薄板３ｅの円弧波形と、アルミニウム薄板３ｆの平面部との間に空気層が形成されるため、音波の共鳴現象が起こり、これら波形付アルミニウム薄板にあけられた多数の微細な貫通孔部で激しく振動する空気の粘性作用によって音波エネルギーが消散する。従って、従来例１の場合と同様に、共振現象のみを用いて音波エネルギーを消散させる吸音構造に比較して、より広範囲の周波数帯域で優れた吸音性能を発揮することができるから、上記形態１に係る防音壁に用いる防音パネルと同効である。
【００７４】
本発明の形態５に係る防音壁に用いる防音パネルを説明する。なお、この防音パネルを使用する防音壁の全体構成は、上記形態１に係る防音壁と同形状であるから、防音壁に係る説明は割愛する。
【００７５】
この形態５に係る防音壁に用いる防音パネルの吸音部材は、後述する２種類の円弧波形付アルミニウム薄板が交互に積層されて構成されている。即ち、一方の第１円弧波形付アルミニウム薄板の４個所の周縁部には、外方向向きに複数の円弧波形加工が施されており、それ以外の中央部分は平面になっている。そして、これら円弧波形加工領域、および平面領域に多数の微細な貫通孔が設けられている。また、前記第１円弧波形付アルミニウム薄板に積層される他方の第２円弧波形付アルミニウム薄板は、この第１円弧波形付アルミニウム薄板の平面領域に先端部が接触する複数の円弧波形加工が施されおり、それ以外の４個所の周縁部は平面になっている。そして、これら円弧波形加工領域、および平面領域に多数の微細な貫通孔が設けられている。
【００７６】
本発明の形態５に係る防音壁に用いる防音パネルでは、一方の第１円弧波形付アルミニウム薄板の円弧波形と他方の第２円弧波形付アルミニウム薄板の平面部との間に空気層が形成されると共に、他方の第２円弧波形付アルミニウム薄板の円弧波形と一方の第１円弧波形付アルミニウム薄板の平面部との間に空気形成される。従って、本発明の形態４に係る防音壁に用いる防音パネルによれば、円弧波形と平面部との間に空気層が形成されるため、音波の共鳴現象が起こり、これら波形付アルミニウム薄板にあけられた多数の微細な貫通孔部で激しく振動する空気の粘性作用によって音波エネルギーが消散するから、本実施の形態４は上記形態１と同効である。
【００７７】
本発明の形態１乃至５に係る防音パネルの吸音部材は円弧波形付アルミニウム薄板から構成されているが、箔であっても良く、表面に繊維が貼着されてなる板であっても良く、表面に繊維が貼着されてなる箔であっても良い。
【００７８】
また、本発明の形態１乃至５に係る防音パネルの吸音部材である円弧波形付アルミニウム薄板の端縁は、後述する手段のうちの何れかによりケースの内壁に取付けられている。
（１）円弧波形付アルミニウム薄板の端縁を、シール機能を有する接着材によりケースの内壁に接合する。
（２）円弧波形付アルミニウム薄板の端縁を、発泡剤によりケースの内壁に接合する。
（３）円弧波形付アルミニウム薄板の端縁同士を、折り曲げ加工により結合すると共に、係止部材を介してケースの内壁に固定する。
（４）円弧波形付アルミニウム薄板の端縁を、ケースの内壁に突設された貼着部材に貼着する。
（５）円弧波形付アルミニウム薄板の端縁を、嵌合式のケースの嵌合部の相対する面の間に挟着する。
（６）円弧波形付アルミニウム薄板の端縁にネジ穴を有する端縁取付け部材を設け、この端縁取付け部材をケースに設けられた穴に嵌入されたネジにより固定する。
（７）円弧波形付アルミニウム薄板の端縁を、ケースの内壁に突設された端縁受け部材と、ケースに設けられた穴に嵌入されたネジによりケースの内壁側に移動して前記端縁受け部材に受けられた波形付金属部材の端縁を押圧する端縁押圧部材により固定する。
（８）円弧波形付アルミニウム薄板の端縁を、ケースの内壁に形成された横Ｍ型の挟圧形成部により挟圧する。
【００７９】
ところで、以上の実施の形態１乃至５に係る防音パネルの場合にあっては、高速道路の防音壁に用いる防音パネルの吸音部材であるアルミニウム薄板に加工する波形が円弧波形である場合を例として説明した。しかしながら、アルミニウム薄板に加工する波形は、特に円弧波形に限定されるものではない。例えば、アルミニウム薄板に四角波形加工が施されていても良く、台形波形加工が施されていても良く、また三角波形加工が施されていても良く、何れの波形であっても同等の機能を発揮することができる。
【００８０】
本発明の形態６に係る防音壁に使用する防音パネルを、その模式的横断断面図の図９を参照しながら説明する。本発明の形態６に係る防音壁に使用する防音パネル５は、矩形状のケース５ａと、このケース５ａ内に収納される、後述する吸音部材とからなるアルミニウム製のものである。前記ケース５ａは、矩形状の枠部５ｂを備え、この枠部５ｂの一側に背面板５ｃを備えると共に、他側の開口側が、音波が通過し得る複数の音波通過通路Ｐａを備えた着脱自在な正面板５ｄにより覆われている。この場合、前記音波通過通路Ｐａは、直径が０．８ｍｍの貫通穴である。
【００８１】
前記吸音部材は、前記背面板５ｃとの間、前記正面板５ｄとの間、および自身同士の間に空気層を隔てて、前記ケース５ａ内の上部と下部の対応位置のそれぞれに設けられ、長手方向に沿う円形断面をした穴と、相対する側から穴に連通する溝が設けられてなる３対の端部係止部５ｅに、丸棒状の係合部材５ｇを介して端縁が係止され、多数の微細な貫通孔が設けられた３枚のアルミニウム箔５ｆから構成されている。これらアルミニウム箔５ｆは、何れも前記係合部材５ｇが前記端部係止部５ｅの穴に嵌挿されることにより取付けられるものである。勿論、取付け作業終了後は、側面部材が固着されケース５ａが構成される。この場合、アルミニウム箔５ｆは３層構成になっているが、特に３層構成に限るものではなく、仕様によって変更されるべきものである。
【００８２】
この形態６係る防音壁１に使用する防音パネル５おいては、前記アルミニウム箔５ｆの厚さは、何れも３０μｍである。なお、この場合、端部係止部５ｅには円形断面をした穴を有する形状に構成され、また係合部材５ｇは丸棒状である。しかしながら、これに限らず、例えば、端部係止部５ｅに四角断面をした穴を有する形状に構成し、そして係合部材５ｇを四角棒状にすることができる。即ち、押出し型材を使用するため、上記のようなことが容易に実現される。
【００８３】
以下、本発明の形態６に係る防音壁に使用する防音パネル５の作用態様について説明する。即ち、この防音パネル５によれば、従来例２に係る防音構造と同様に、空気に粘性作用を発生させることによって、粘性作用による空気振動の熱エネルギーへの変換が促進される結果、広い周波数帯域幅で十分な吸音性能が確実に発揮される。これにより、共鳴周波数の騒音の他、この周波数以外の騒音に対しても優れた吸音性能が発揮されるから、上記形態１に係る防音壁に使用する防音パネルと同効である。
【００８４】
本発明の形態７に係る防音壁に使用する防音パネルを、その模式的横断断面図の図１０を参照しながら説明する。本発明の形態６に係る防音壁に使用する防音パネル防音パネル６は、矩形状のケース６ａと、このケース６ａ内に収納される、後述する吸音部材とからなるアルミニウム製のものである。前記ケース６ａは、矩形状の枠部６ｂを備え、この枠部６ｂの一側に背面板６ｃを備えると共に、他側の開口側が、音波が通過し得る複数の音波通過通路Ｐａを備えた着脱自在な正面板６ｄにより覆われている。この場合、前記音波通過通路Ｐａは、直径が０．８ｍｍの貫通穴である。
【００８５】
前記吸音部材は、前記背面板６ｃとの間、前記正面板６ｄとの間、および自身同士の間に空気層を隔てて、前記ケース６ａ内の上部と下部の対応位置のそれぞれに設けられ、相対する方向に突出する平板条状の３対の貼着部材６ｅの表面に、両面テープを介して端縁が貼着され、多数の微細な貫通孔が設けられた３枚のアルミニウム箔６ｆから構成されている。この場合、アルミニウム箔６ｆは３層構成になっているが、上記形態５の場合と同様に、特に３層構成に限るものではなく、仕様により変更されるべきものである。また、前記アルミニウム箔６ｆの厚さは、何れも３０μｍである。
【００８６】
以下、本発明の形態７に係る防音壁に使用する防音パネル６の作用態様について説明する。即ち、この防音パネル６によれば、従来例２に係る防音構造と同様に、空気に粘性作用を発生させることによって、粘性作用による空気振動の熱エネルギーへの変換が促進される結果、広い周波数帯域幅で十分な吸音性能が確実に発揮される。これにより、共鳴周波数の騒音の他、この周波数以外の騒音に対しても優れた吸音性能が発揮されるから、上記形態１の防音壁に使用する防音パネルと同効である。
【００８７】
また、アルミニウム箔の端縁を上記形態６，７以外の後述する手段によってケースの内壁に取付けることができる。
（１）アルミニウム箔の端縁を、雄枠と雌枠とからなる嵌合式のケースの嵌合部の相対する面の間に挟着する。（形態８）
（２）アルミニウム箔の端縁を、端縁にネジ穴を有する端縁取付け部材を設け、この端縁取付け部材がケースに設けられた穴に嵌入されたネジにより固定する。（形態９）
（３）アルミニウム箔の端縁を、ケースの内壁に突設された端縁受け部材と、ケースに設けられた穴に嵌入されたネジによりケースの内壁側に移動して前記端縁受け部材に受けられた波形付金属部材の端縁を押圧する端縁押圧部材により固定する。（形態１０）
（４）アルミニウム箔の端縁を、ケースの内壁に形成された横Ｍ型の挟圧形成部により挟（５）圧する。（形態１１）
アルミニウム箔の端縁を、ケースの相対する内壁側のそれぞれに設けられた平行な掛回し部材に掛回す。（形態１２）
【００８８】
上記形態６乃至１２においては、吸音部材としてアルミニウム箔を用いたが、アルミニウム薄板を用いることができ、表面に繊維が貼着されてなるアルミニウム板を用いることができ、また表面に繊維が貼着されてなるアルミニウム箔を用いることもできる。
【００８９】
ところで、上記形態１乃至１２に係る防音パネルのケースの内部の長手方向に直交する向きに、複数の仕切り板を設けることにより、防音パネルの吸音効果を向上させることができるという優れた防音効果を得ることができる。
【００９０】
より詳しくは、防音対象となる音の波長の１／２より小さな間隔で仕切り板を設けることにより、この防音パネル内に侵入した音波を吸音部材と直交する方向に進行させることができるため防音パネルの吸音効果が向上する。また、防音対象となる音の波長の１／２の倍数以外の間隔で仕切り板を設けることにより、防音パネル内に侵入した音波の吸音部材に沿う方向への進行を防ぎ、吸音部材と直交する方向に進行させることができるため防音パネルの吸音効果が向上する。さらに、防音対象となる複数の周波数の音に対してランダムな間隔で仕切り板を設けることにより、防音パネル内に侵入した特定周波数の音波の吸音性能の低下を防止することができるため、複数の周波数の音に対する防音パネルの吸音効果が向上する。従って、上記構成になる３種類の防音パネルのうちの何れかを、防音壁フレームの複数のパネル取付け枠のそれぞれに嵌込んで防音壁を構成することにより防音性能がより優れた防音壁を具現することができる。
【００９１】
防音パネルのケースの内部の長手方向に直交する向きに、複数の仕切り板を配設する場合には、下記のような２つの方法のうちの何れかによれば良い。
（１）ケース内に吸音部材を配設した後に、このケースの一端側から板状の仕切り板を挿入して設置する。
（２）ケース内への吸音部材の配設時に、板状の仕切り板を配設する。
なお、仕切り板の材質については、金属（リサイクル性の点で好ましい）でも樹脂でも良く、特に材質に限定されるものではない。また、仕切り板の配設には、接着剤等で吸音部材に貼り付ける構成、ケースの端面の構成部材に配設し、吸音部材に接続しない構成にするというようなことが考えられる。
【実施例】
【００９２】
以下、本発明の形態１に係る防音壁１と、形態６に係る防音壁の斜入射吸音率を測定した実施例を説明する。この斜入射吸音率測定試験は、その測定試験状況説明図の図１１に示すような構成になる設備により行った。即ち、完全反射面（コンクリート床）にインパルス音が一定の角度で入射したときの正反射方向の反射音と、この完全反射面に試料（防音壁）を設置したときの反射音とをそれぞれ測定し、その結果から下記式によって斜入射吸音率α（θ）を求める。但し、下記式中のＥｓ（ｆ）,Ｅｒ（ｆ）は、試料（防音壁）設置時、完全反射面の反射パルスのエネルギースペクトルである。
α（θ）＝１−Ｅｓ（ｆ）／Ｅｒ（ｆ）
なお、θは０〜４５°まで１５°毎に測定したα（θ）を算術平均したものである。
【００９３】
図２乃至図４に示す防音パネル２を用いた防音壁の吸音率は、その説明グラフ図の図１２に示すとおり、４００〜３１５０Ｈｚの周波数帯域において、７０〜９０％であった。
また、図９に示す防音パネル５を用いた防音壁の吸音率は、その説明グラフ図の図１３に示すとおりであって、上記の場合と同様、４００〜３１５０Ｈｚの周波数帯域において、７０〜９０％で、何れの吸音パネルも吸音性能が極めて優れていることが分かる。
【００９４】
なお、上記実施の形態１乃至１２においては、吸音部材を構成する金属部材の材質として、アルミニウムを用いたが、例えば鋼鈑、銅板、マグネシウム板、チタン板等の金属板も用いることができるから、アルミニウムに限定されるものではない。また、上記実施の形態１乃至１２は何れも本発明の具体例に過ぎないから、これらの形態によって本発明の技術的思想の範囲が限定されるものではない。
【図面の簡単な説明】
【００９５】
【図１】本発明の形態１に係る防音壁の正面図である。
【図２】本発明の形態１に係る防音壁に使用する防音パネルの模式的正面図である。
【図３】図２のＡ−Ａ線断面図である。
【図４】図２のＢ−Ｂ線断面図である。
【図５】本発明の形態２に係る防音壁に使用する防音パネルｎ円弧状波形加工された円弧状傾斜波形付アルミニウム薄板の組立状態説明斜視図である。
【図６】本発明の形態３に係る防音壁に使用する防音パネルの模式的正面図である。
【図７】図６のＣ−Ｃ線断面図である。
【図８】図６のＤ−Ｄ線断面図である。
【図９】本発明の形態５に係る防音壁に使用する防音パネルの模式的横断断面図である。
【図１０】本発明の形態６に係る防音壁に使用する防音パネルの模式的横断断面図である。
【図１１】斜入射吸音率測定試験状況説明図である。
【図１２】図２乃至図４に示す防音パネルを用いた防音壁の吸音率説明グラフ図である。
【図１３】図９に示す防音パネルを用いた防音壁の吸音率説明グラフ図である。
【図１４】従来例１に係る防音構造の斜視図である。
【図１５】従来例１に係る防音構造の断面図である。
【図１６】従来例２に係る防音構造の断面図である。
【符号の説明】
【００９６】
１…防音壁，１ａ…ガラリ
２…防音パネル，２ａ…ケース，２ｂ…枠部，２ｃ…背面板，２ｄ…正面板，２ｅ…縦円弧波形付アルミニウム薄板，２ｆ…横円弧波形付アルミニウム薄板，２ｇ…傾斜円弧波形付アルミニウム薄板
３…防音パネル，３ａ…ケース，３ｂ…枠部，３ｃ…背面板，３ｄ…正面板，３ｅ…縦円弧波形付アルミニウム薄板，３ｆ…アルミニウム薄板
５…防音パネル，５ａ…ケース，５ｂ…枠部，５ｃ…背面板，５ｄ…正面板，５ｅ…端部係止部，５ｆ…アルミニウム箔，５ｇ…係合部材
６…防音パネル，６ａ…ケース，６ｂ…枠部，６ｃ…背面板，６ｄ…正面板，６ｅ…貼着部材，６ｆ…アルミニウム箔